(57)【特許請求の範囲】
【請求項１】
光ファイバ母材を溶融紡糸して光ファイバ裸線を形成し、
前記光ファイバ裸線の外周に樹脂からなる被覆層を設け、
前記被覆層を硬化させて光ファイバ素線を得ることを有し、
前記光ファイバ裸線が紡糸されてからその外周に被覆層が設けられるまでに、前記光ファイバ裸線の方向を少なくとも１つの方向変換器によって変換し、
前記方向変換器は、前記光ファイバ裸線を案内するガイド溝と、前記ガイド溝に流体を導入し、前記ガイド溝内の前記光ファイバ裸線を浮上させる吹出し口とを有し、
走行半径の２倍を走行径とするとき、前記光ファイバ裸線の張力とファイバ径と前記走行径とを、小ベルト要素に働く力の釣り合い式とベルヌーイの式とに基づいて算出された式に適用することで、前記吹出し口からの前記流体の導入流量が制御されることを特徴とする光ファイバ素線の製造方法。
【請求項２】
前記吹出し口からの前記流体の導入流量が以下の式を用いて制御されることを特徴とする請求項１に記載の光ファイバ素線の製造方法。
【数１】
0006335957.tif 000008
ここで、Ｑは前記吹出し口からの前記流体の導入流量（L/min）、Ｔは前記光ファイバ裸線の張力（gf）、Ｄは前記光ファイバ裸線の走行径（mm）、ｄは前記光ファイバ裸線の直径（mm）である。
【請求項３】
前記光ファイバ裸線の張力を非接触で検出することを特徴とする請求項１または２に記載の光ファイバ素線の製造方法。
【発明の詳細な説明】
【技術分野】
【０００１】
本発明は、光ファイバ素線の製造方法に関する。
【背景技術】
【０００２】
光ファイバ素線の製造においては、一般に、光ファイバ母材から光ファイバを直線的な経路に沿って鉛直下方へ線引きする方法が採用されている。
この製造方法においては、生産性に影響する要因として、システム全体の高さによる制限がある。システムの高さが生産性を制限する主な要因となるのは、光ファイバ母材を溶融紡糸して得られた光ファイバ裸線を十分に冷却するための距離を確保する必要があるからである。
建屋を含む新たな設備を新設すればこの制限は緩和できるが、そのために莫大な費用が必要となる上、将来にさらに生産性向上が求められれば、さらに莫大な費用をかけて新たな設備を新設する必要が生じる。
この制限を緩和する方法として、非接触保持機構を有する方向変換用の器具を用いる方法がある。
非接触保持機構は、空気などの流体の圧力によって対象を非接触で保持する機構であって、この機構を有する方向変換器では、光ファイバ裸線に接触することなく、光ファイバ裸線を方向変換させることができる。
この方向変換器を用いれば、光ファイバ母材から第一の経路に沿って線引きした光ファイバ裸線の方向を、第二の経路に沿うように変換することができる。
特許文献１及び２には、流体ベアリングによって、光ファイバを浮上した状態で支持し、光ファイバの走行方向を変換することが開示されている。
【先行技術文献】
【特許文献】
【０００３】
【特許文献１】特開２０１３−１３６５０８号公報
【特許文献２】特開２０１３−１３６５０９号公報
【発明の概要】
【発明が解決しようとする課題】
【０００４】
しかしながら、特許文献１及び２には走行中の光ファイバの浮上量を安定させるためのパラメータ及びそれらを走行中に制御することが開示されていない。走行中の光ファイバの浮上量が一定でない場合、線引きされる光ファイバのパスラインが変動するためファイバ径の制御が不安定になったり、偏肉や断線等が生じたりする恐れがある。
本発明は、上述した事情に鑑みてなされたものであって、非接触保持機構を有する方向変換器における光ファイバ裸線の浮上位置を安定化できる光ファイバ素線の製造方法を提供することを目的とする。
【課題を解決するための手段】
【０００５】
本発明の一態様は、光ファイバ母材を溶融紡糸して光ファイバ裸線を形成し、前記光ファイバ裸線の外周に樹脂からなる被覆層を設け、前記被覆層を硬化させて光ファイバ素線を得ることを有し、前記光ファイバ裸線が紡糸されてからその外周に被覆層が設けられるまでに、前記光ファイバ裸線の方向を少なくとも１つの方向変換器によって変換し、前記方向変換器は、前記光ファイバ裸線を案内するガイド溝と、前記ガイド溝に前記流体を導入し、前記ガイド溝内の前記光ファイバ裸線を浮上させる吹出し口とを有し、前記光ファイバ裸線の張力とファイバ径と走行径とに基づいて、前記吹出し口からの前記流体の導入流量を制御する。
【０００６】
前記光ファイバ裸線の前記張力と前記ファイバ径と前記走行径とを、小ベルト要素に働く力の釣り合い式とベルヌーイの式とに基づいて算出された式に適用することで、前記吹出し口からの前記流体の前記導入流量が制御されてもよい。
【０００７】
前記吹出し口からの前記流体の導入流量が以下の式を用いて制御されてもよい。
【数１】
0006335957.tif 000002
ここで、Ｑは前記吹出し口からの前記流体の導入流量（L/min）、Ｔは前記光ファイバ裸線の張力（gf）、Ｄは前記光ファイバ裸線の走行径（mm）、ｄは前記光ファイバ裸線の直径（mm）である。
【０００８】
前記光ファイバ裸線の張力を非接触で検出してもよい。
【発明の効果】
【０００９】
本発明の上記態様によれば、光ファイバ裸線の張力とファイバ径と走行径に基づいて、吹出し口からの流体の導入流量を制御することにより、非接触保持機構を有する方向変換器における光ファイバ裸線の浮上位置を安定化でき、製造中の光ファイバのパスラインの変動を抑えることができる。
【図面の簡単な説明】
【００１０】
【図１】本発明の一実施形態に係る光ファイバ素線の製造装置の概略構成を示す模式図である。
【図２】図１に示す製造装置の方向変換器の断面構造を示す模式図である。
【図３】方向変換器の一例を示す正面図である。
【図４】前図に示す方向変換器の変形例を示す正面図である。
【図５】方向変換器での光ファイバ裸線３に働く張力を説明するための概略図である。
【図６】方向変換器のガイド溝における流体の流量を説明するための概略図である。
【図７】図１に示す製造装置の制御動作を説明するフローチャートである。
【発明を実施するための形態】
【００１１】
図１は、本発明の一実施形態に係る光ファイバ素線の製造装置１の概略構成を示す模式図である。
製造装置１は、紡糸部１０と、方向変換器２０（２０Ａ，２０Ｂ）と、コーティング部３０と、硬化部４０と、ファイバ位置検出部５０と、ファイバ張力計６０と、外径測定器７０と、流量調整器８０と、制御部９０と、プーリー１００と、引取り部１１０と、巻取り部１２０と、を備えている。
方向変換器２０と、ファイバ位置検出部５０と、ファイバ張力計６０と、外径測定器７０と、流量調整器８０（８０Ａ，８０Ｂ）と、制御部９０とによって制御装置１０１が構成される。
【００１２】
紡糸部１０には、加熱炉１１が設けられ、加熱炉１１によって光ファイバ母材２を加熱して溶融紡糸することによって光ファイバ裸線３が形成される。
【００１３】
方向変換器２０は、光ファイバ裸線３の方向を変換する。図１に示す製造装置１では２つの方向変換器２０が用いられる。これらの方向変換器２０を、線引き方向の上流側から下流側に、それぞれ第１方向変換器２０Ａおよび第２方向変換器２０Ｂとする。
第１方向変換器２０Ａは、光ファイバ母材２から鉛直下向き（第一の経路Ｌ１）に引き出された光ファイバ裸線３を、９０°方向変換する。これにより、光ファイバ裸線３の走行方向は水平（第二の経路Ｌ２）方向に向けられる。
第一の経路Ｌ１と第二の経路Ｌ２とを含む面をＰ１とする。Ｘ方向は、面Ｐ１内において第二の経路Ｌ２に沿う方向であり、Ｙ方向は、面Ｐ１に垂直な方向である。
【００１４】
第２方向変換器２０Ｂは、Ｘ方向に走行する光ファイバ裸線３を、鉛直下方向に９０°方向変換する。これにより、光ファイバ裸線３の走行方向は鉛直下向き（第三の経路Ｌ３）に向けられる。
方向変換器２０によって、Ｘ方向に光ファイバ裸線３を走行させることができ、これにより光ファイバ裸線を十分に冷却するための距離をＸ方向に確保することができる。従って、鉛直方向の装置の長さを短縮することができる。
【００１５】
なお、本実施形態に係る製造装置１では方向変換器２０が２つ設けられているが限定されない。装置設計等に応じて１つであっても３つ以上設けられていてもよい。
【００１６】
コーティング部３０では、光ファイバ裸線３の外周に、ウレタンアクリレート系の樹脂などの被覆材を塗布（コーティング）して被覆層とすることによって光ファイバ素線中間体４が得られる。
樹脂コーティングの方法としては、例えば２層コーティングが挙げられる。内側（光ファイバ裸線の直上）にヤング率の低い一次被覆層用の材料を塗布し、外側（一次被覆層の直上）にヤング率の高い二次被覆層用の材料が塗布される。使用される材料としては、例えば紫外線硬化樹脂が挙げられる。
コーティング部３０は、一次被覆層と二次被覆層を別々に塗布する構成であってもよいし、一次被覆層と二次被覆層を同時に塗布する構成であってもよい。
また、樹脂コーティングの方法としては、１層コーティングであってもよい。
【００１７】
硬化部４０では、１または複数のＵＶランプ４０ａが設けられ、光ファイバ素線中間体４の被覆層を硬化して光ファイバ素線５が形成される。硬化部４０は、例えば、光ファイバ素線中間体４が通過する空間を挟むように設けられた複数対のＵＶランプ４０ａを有する。
【００１８】
光ファイバ素線５は、プーリー１００によって向きを変えられ、引取り部１１０により引き取られ、巻取り部１２０により巻き取られる。
引取り部１１０は、例えば引取りキャプスタンであり、ここで引取り線速が決定される。
引取り線速は例えば１５００ｍ／ｍｉｎ以上である。
巻取り部１２０は、光ファイバ素線５を巻き取る巻取りボビンである。
光ファイバ母材２の外径は例えば１００ｍｍ以上であり、１つの光ファイバ母材２から作製される光ファイバ素線５の長さは例えば数千ｋｍである。
【００１９】
ファイバ位置検出部５０は、第２方向変換器２０Ｂの線引き方向の下流側に設けられ、第三の経路Ｌ３の光ファイバ裸線３の位置を検出する。ファイバ位置検出部５０としては、例えばレーザ方式の位置センサを使用できる。
第２方向変換器２０Ｂにおける光ファイバ裸線３の浮上量が増減すると、第三の経路Ｌ３の光ファイバ裸線３のＸ方向の位置が変化する。そのため、ファイバ位置検出部５０は、光ファイバ裸線３の位置情報に基づいて、第２方向変換器２０Ｂにおける光ファイバ裸線３の浮上量を検出できる。
ファイバ位置検出部５０は、光ファイバ裸線３の位置に関する情報に基づいて検出信号を制御部９０に出力する。制御部９０では、ファイバ位置検出部５０より出力された情報に基づいて、光ファイバ裸線３の走行径を算出することができる。
【００２０】
ファイバ張力計６０は、ファイバ位置検出部５０から送出された走行中の光ファイバ裸線３における張力を計測する。ファイバ張力計６０によって検出された計測データは、制御部９０に出力される。
【００２１】
ファイバ張力計６０としては、非接触の張力計が好ましく、例えば、光学的に測定できる張力計（例えば、ＣＥＲＳＡ-ＭＣＩ社製NCTM: Non Contact Tension Measurement）などを用いることができる。走行中の光ファイバ裸線の張力を非接触で測定することで光ファイバ裸線が損傷することを防げ、また製造過程に振動などを与えるおそれもない。そのため生産性や歩留まりを向上することができる。
【００２２】
なお、走行中の光ファイバ裸線の張力を計測できれば非接触の張力計に限定されない。例えば、歪ゲージを用いた接触式の張力計を採用してもよい。
【００２３】
外径測定器７０は、ファイバ張力計６０とコーティング部３０との間に設けられ、光ファイバ裸線３の外径寸法を非接触で測定する。外径測定器７０によって検出された計測データは、制御部９０に出力される。
なお、本実施形態では、ファイバ張力計６０の下流に外径測定器７０が設けられているが限定されない。装置の設計に応じて適宜順番を入れ替えてもよい。
【００２４】
流量調整器８０は、方向変換器２０Ａ，２０Ｂへの流体の導入流量を調整することができる。流量調整器８０は、例えば方向変換器２０Ａ，２０Ｂへの流体の導入路（例えば図３に示す導入路２６）に設けることができる。流量調整器８０としては、マスフローコントローラ（ＭＦＣ）等が使用できる。
図１に示す製造装置１では２つの流量調整器８０が用いられる。２つの流量調整器８０のうち、第１方向変換器２０Ａに導入される流体の流量を調整する流量調整器８０を第１流量調整器８０Ａといい、第２方向変換器２０Ｂに導入される流体の流量を調整する流量調整器８０を第２流量調整器８０Ｂという。
【００２５】
制御部９０は、ファイバ位置検出部５０、ファイバ張力計６０、及び外径測定器７０からの検出信号に基づいて、流量調整器８０Ａ，８０Ｂを用いて、方向変換器２０Ａ，２０Ｂへの流体の導入流量を制御する。これにより、方向変換器２０Ａ，２０Ｂにおける光ファイバ裸線３の浮上量を調節することができる。
【００２６】
制御部９０は、光ファイバ裸線３の張力とファイバ径と走行径とに基づいて、吹出し口２２からの流体の導入流量を決定する。本実施形態では、流体の導入流量はこれらのパラメータと流体の導入流量との相関関係を用いて制御される。具体的な流体の導入流量の制御方法の一例については後述する。
【００２７】
なお、本実施形態では、ファイバ位置検出部５０、ファイバ張力計６０、及び外径測定器７０は第２方向変換器２０Ｂの後段にのみ設けられるが、これに限定されない。
例えば、第１方向変換器２０Ａ用のファイバ位置検出部、ファイバ張力計、及び外径測定器を第１方向変換器２０Ａと第２方向変換器２０Ｂとの間の位置に設けてもよい。これによって、第１方向変換器２０Ａ用のファイバ位置検出部、ファイバ張力計、及び外径測定器からの検出信号に基づいて、流量調整器８０Ａを用いて、方向変換器２０Ａへの流体の導入流量を制御することができる。
また、例えば、第１方向変換器２０Ａ用にファイバ位置検出部とファイバ張力計との少なくとも一方を設けて、その他のパラメータは第２方向変換器２０Ｂにおける測定値を用いて方向変換器２０Ａへの流体の導入流量を制御してもよい。
これによって、方向変換器２０Ａにおいても、吹出し口２２からガイド溝２１に放出される流体の流量を制御し、光ファイバ裸線３の浮上量を調整することができる。
【００２８】
[方向変換器２０の構造]
以下、方向変換器２０の構造について説明する。
図３に示す方向変換器２０１は、方向変換器２０の第１の例であって、光ファイバ裸線３の向きを９０°変換することができる。
方向変換器２０１は、平面視４分円形とされ、外周面２０ａに全周長にわたってガイド溝２１が形成されている。方向変換器２０１は、中心軸方向をＹ方向に一致させるとともに、径方向Ｄ１（図２参照）を面Ｐ１（図１参照）に沿う方向に向けた姿勢で設置される。ここでは、平面視円弧形の外周面２０ａに沿う方向を周方向という。
【００２９】
ガイド溝２１の底部には、ガイド溝２１に沿って配線された光ファイバ裸線３を浮上させる流体（空気など）の吹出し口２２がガイド溝２１に沿って形成されている。吹出し口２２は、ガイド溝２１の全長にわたって形成されている。
吹出し口２２の一端２２ａはガイド溝２１の一端２１ａに達し、他端２２ｂは他端２１ｂに達している。
【００３０】
図２に示すように、方向変換器２０１は、方向変換器２０１に確保された内部空間（流体溜部２５）内の流体（例えば空気）を、吹出し口２２を通してガイド溝２１内に放出できるように構成されている。
方向変換器２０１は、流体を外部から流体溜部２５に導入し、吹出し口２２を通してガイド溝２１内に放出させるように構成することができる。
図３に示すように、方向変換器２０１には、外部から流体溜部２５に流体を導入する導入路２６が接続される導入部２７が形成されていることが好ましい。導入部２７は、例えば流体の導入口である。
【００３１】
ガイド溝２１は、径方向外方に行くほど内側面２１ｃ，２１ｃの間隔（Ｙ方向寸法）が徐々に大きくなるように、径方向Ｄ１に対して傾斜して形成されていることが好ましい。図２ではガイド溝２１はＤ１に対してθの角度をなすように開口している。
また、２つの内側面２１ｃ，２１ｃは、図２に示すように径方向Ｄ１に対する傾斜角度が互いに等しいこと（θ／２）が好ましい。
【００３２】
図３に示す方向変換器２０１では、光ファイバ裸線３は４分円形のガイド溝２１の一端２１ａから入り、他端２１ｂから出ることによって９０°の方向変換がなされる。光ファイバ裸線３が入線する入線部２３はガイド溝２１の一端２１ａを含む部分であり、光ファイバ裸線３が出線する出線部２４はガイド溝２１の他端２１ｂを含む部分である。
【００３３】
図４に示す方向変換器２０２は、方向変換器２０１の変形例であって、平面視４分の３円形とされている。以下、既出の構成と同じ構成については、同じ符号を付してその説明を省略する。
方向変換器２０２は、図３に示す方向変換器２０１と同じ構造の本体部２９ａの入線側および出線側に、それぞれ本体部２９ａと同じ構造の補助部２９ｂ，２９ｃが連設された構造とされている。
方向変換器２０２は、光ファイバ裸線３が入線部２３’から本体部２９ａのガイド溝２１に入り、本体部２９ａで方向が９０°変換された後、出線部２４’を通って出線するため、基本的な機能は方向変換器２０１と同じである。
方向変換器２０１，２０２は、光ファイバ裸線３の向きを９０°変換することができるため、図１に示す方向変換器２０Ａ，２０Ｂとして使用できる。
【００３４】
[流体の導入流量の制御方法]
まず、図５を参照して方向変換器２０での光ファイバ裸線３に働く張力について説明する。図５は、Ｘ方向から方向変換器２０を見た場合の模式図であり、光ファイバ裸線３が方向変換器２０で方向転換する際の微小部分に作用する力を模式的に示している。なお、図５では説明の便宜上、光ファイバ裸線３の方向変換の角度は本実施形態における９０°よりも小さく表されている。
ここで、単位長さ当たりの光ファイバ裸線への押し付け力をｐ（N/m2）、光ファイバ裸線の緩み側にかかる力をＦ（N/m2）、光ファイバ裸線の張り側にかかる力をＦ＋ｄＦ（N/m2）とした場合、すなわち方向変換器２０上の光ファイバ裸線３の微小部分ｄｓに作用する力ｐｄｓの半径方向の釣り合い式は、微小ベルト要素に働く力の釣り合い式と見立てて以下の式（１）のように求められる。
【００３５】
【数２】
0006335957.tif 000003
【００３６】
走行半径をｒとしてｄｓ＝ｒｄθと考えた場合、上記式（１）を用いて以下の式（２）が求められる。
【００３７】
【数３】
0006335957.tif 000004
【００３８】
ここで、走行径をＤ（mm），張力をＴ（gf）とした場合、２ｒ＝Ｄ、Ｆ＝Ｔｇ（ｇは重力加速度）と表される。本実施形態では、単位長さ当たりの押し付け力ｐを抱き角９０°で光ファイバ裸線３を曲げているので、９０°分の長さに変換した場合のファイバから受ける圧力Ｐ（N/m2）を式（２）から導くと、式（３）で表される。
【００３９】
【数４】
0006335957.tif 000005
【００４０】
次に、図６を参照して方向変換器２０のガイド溝２１における流体の流量Ｑ（L/min）について説明する。
図６に示すように、フロート面積Ａｆ（mm２）、テーパ管面積Ａ１（mm２）、流路面積Ａ２（mm２）、流体の流速ｕ１、ｕ２（ｕ１＝（Ａ２／Ａ１）ｕ２）の関係は、ベルヌーイの式に基づいて以下の式（４）で表される。
なお本実施形態において、テーパ管面積Ａ１は図２における基底隙間ａの部分の断面積とし、流路面積Ａ２は図２における隙間ｍの部分の流路面積とする。
【００４１】
【数５】
0006335957.tif 000006
ここで、上記式（４）のＰに上記式（３）で導出されたファイバから受ける圧力を代入することで、変数として光ファイバ裸線３の張力とファイバ径と走行径とを用いて流体の導入流量を算出することができる。すなわち、小ベルト要素に働く力の釣り合い式とベルヌーイの式に基づいて算出された式に、検出された光ファイバ裸線３の張力とファイバ径と走行径とを適用することで、流体の導入流量を求めることができる。
【００４２】
さらに、本実施形態では以下のパラメータ値を用いた場合を検討する。
気圧：１（ａｔｍ）
気温：２３°
空気密度ρ：１．１９（ｋｇ／ｍ３）
基底隙間ａ：０．０５（ｍｍ）
角度θ：１（°）
基底直径Ｄ０：１１４（ｍｍ）
抱き角：９０（°）
【００４３】
ここで、図２にも示すように基底隙間ａは吹出し口の径であり、基底直径Ｄ０は吹出し口２２の口端で構成される円の直径である。
【００４４】
これらのパラメータの値を用いて、流路面積Ａ２（mm2）、テーパ管面積Ａ１（mm2）を算出し、式（３）を数式（４）に代入することにより、吹出し口２２からの流体の導入流量Ｑ（L/min）が、光ファイバ裸線３の走行径Ｄ（mm）と光ファイバ裸線３の直径ｄ（mm）と光ファイバ裸線３の張力Ｔ（gf）とでのみ表された以下の式（Ａ）を得る。なお、ＣＤは流路係数であり、本実施形態では「１」とする。
【００４５】
【数６】
0006335957.tif 000007
【００４６】
小ベルト要素に働く力の釣り合い式とベルヌーイの式に基づいて算出された式を用いて、検出された光ファイバ裸線３の張力とファイバ径と走行径とに基づいて、吹出し口２２からの流体の導入流量の適正値を算出することで、方向変換器２０Ａ，２０Ｂにおける光ファイバ裸線３の浮上量を高精度に制御できる。
特に、上式（Ａ）を用いて、吹出し口２２からの流体の導入流量の適正値を算出することで、方向変換器２０Ａ，２０Ｂにおける光ファイバ裸線３の浮上量を簡易な式を用いて高精度に制御できる。
【００４７】
次に、方向変換器２０Ａ，２０Ｂにおける光ファイバ裸線３の浮上量の全体的な制御の流れについて具体的に説明する。
図７において、本実施形態における光ファイバ裸線３のファイバ径、及び方向変換器２０Ａ，２０Ｂにおける光ファイバ裸線３の浮上量の制御フローチャートを示す。
【００４８】
図７に示すように、光ファイバ裸線３のファイバ径（Ｆ径）は制御部９０によって検出された測定値に基づいて引取り線速を調整することで制御される（ステップＳ１０１〜Ｓ１０４）。ここで、引取り線速は上述のように引取り部１１０により制御される。
例えば、目標ファイバ径がｄｎである場合、外径測定器７０によって光ファイバ裸線３の外径寸法を計測し（ステップＳ１０１）、外径寸法がｄｎ以上である場合は線速を下げることでファイバ径を制御する（ステップＳ１０２→Ｓ１０４）。一方、外径寸法がｄｎ以下である場合は線速を上げることでファイバ径を制御する（ステップＳ１０３→Ｓ１０４）。
【００４９】
また、図７に示すように、測定されたファイバ径（ステップＳ１０１）、張力（ステップＳ１０５）、浮上量（ステップＳ１０８）を用いて、流体の導入流量の調整が制御部９０によって行われる（ステップＳ１１１）。ここでステップＳ１０７に示される浮上量は走行径と基底直径とから算出できる。具体的には以下のように制御されてもよい。
【００５０】
定常状態のファイバ径がｄｎである場合、外径測定器７０によって光ファイバ裸線３の外径寸法を計測し（ステップＳ１０１）、外径寸法がｄｎ以上になった場合は流体の導入流量を減少させることで浮上量を制御する（ステップＳ１０２→Ｓ１１１）。一方、外径寸法がｄｎ以下になった場合は流体の導入流量を増加させることで浮上量を制御する（ステップＳ１０３→Ｓ１１１）。
【００５１】
ファイバ張力計６０によって張力を測定し（ステップＳ１０５）、定常状態の張力Ｔｎ以上になった場合、流体の導入流量を増加させることで浮上量を制御する（ステップＳ１０６→Ｓ１１１）。一方、測定された張力が所定の張力Ｔｎ以下になった場合、流体の導入流量を減少させることで浮上量を制御する（ステップＳ１０７→Ｓ１１１）。
【００５２】
さらに、ファイバ位置検出部５０により検出される走行径を用いて浮上量を算出し（ステップＳ１０８）、目的の浮上量ΔＤ−ｄｎの値が０以上である場合は流体の導入流量を減少させることで浮上量を制御する（ステップＳ１０９→Ｓ１１１）。一方、ΔＤ−ｄｎの値が０以下である場合は流体の導入流量を増加させることで浮上量を制御する（ステップＳ１１０→Ｓ１１１）。
そして、本実施形態では流体の導入流量Ｑを導出する式を上述のフローチャートの演算処理に用いて、流体の導入流量の制御が行われる（ステップＳ１１１→Ｓ１１２）。
流体の導入流量の制御方法としては、ＰＩＤ制御などのフィードバック制御が好ましい。これにより、流体の流量の制御を応答性よく行うことができる。
【００５３】
なお、本実施形態において、上記制御を連続的に行うことが好ましい。これにより、方向変換器２０Ａ，２０Ｂにおける光ファイバ裸線３の浮上量を安定させ、パスラインの変動を抑えることができる。
【００５４】
[光ファイバ素線の製造方法]
次に、本実施形態に係る光ファイバ素線の製造方法の一実施形態を説明する。
（紡糸工程）
図１に示すように、紡糸部１０において、光ファイバ母材２を加熱して溶融紡糸して光ファイバ裸線３を形成する。
【００５５】
（方向変換器による方向変換）
光ファイバ母材２から鉛直下向き（第一の経路Ｌ１）に引き出された光ファイバ裸線３は、第１方向変換器２０Ａにおける９０°の方向変換により、水平（第二の経路Ｌ２）に向けられる。
光ファイバ裸線３は、第２方向変換器２０Ｂにおける９０°の方向変換により、鉛直下向き（第三の経路Ｌ３）となる。
【００５６】
図２に示すように、方向変換器２０Ａ，２０Ｂでは、流体溜部２５内の流体（例えば空気）を、吹出し口２２を通してガイド溝２１内に放出することによって、光ファイバ裸線３を浮上させることができる。詳細には、放出された空気により、ガイド溝２１の深部２１ｄと浅部２１ｅとの圧力差が大きくなるため、光ファイバ裸線３に、径方向外方の力が作用することによって、光ファイバ裸線３は浮上する。
方向変換器２０によって、Ｘ方向に光ファイバ裸線３を走行させることができ、これにより光ファイバ裸線を十分に冷却するための距離をＸ方向に確保することができる。従って、鉛直方向の装置の長さを短縮することができる。
【００５７】
なお、方向変換器２０Ａ，２０Ｂにおける流体の流量は、上述した方法を用いて制御する。
【００５８】
（コーティング工程）
コーティング部３０において、光ファイバ裸線３の外周に、ウレタンアクリレート系の樹脂などの被覆材を塗布（コーティング）して被覆層とすることによって光ファイバ素線中間体４を得る。
【００５９】
（硬化工程）
硬化部４０において、ＵＶランプ４０ａの照射などにより、光ファイバ素線中間体４の被覆層を硬化して光ファイバ素線５を形成する。
【００６０】
光ファイバ素線５は、プーリー１００によって向きを変えられ、引取り部１１０により引き取られ、巻取り部１２０により巻き取られる。
【００６１】
本実施形態に係る光ファイバ素線の製造方法では、光ファイバ裸線３の張力とファイバ径と走行径に基づいて、方向変換器２０Ａ，２０Ｂへの吹出し口２２からの流体の導入流量を制御する。それによって、方向変換器２０Ａ，２０Ｂにおいて吹出し口２２からガイド溝２１に放出される流体の流速を調節し、光ファイバ裸線３の浮上量を調整することができる。
そのため、方向変換器２０Ａ，２０Ｂにおける光ファイバ裸線３の浮上位置を安定化することができ、光ファイバのパスラインの変動がなくなる。これにより、ファイバ径を制御する外径測定器に外乱要素がなくなり、ファイバ径をより安定して制御できる。また、コーティング部のダイスポッドへの入線の位置が安定し、光ファイバ素線の樹脂被覆との同軸度が安定し、偏肉不良を低減することができる。さらに、浮上量の過不足により光ファイバ裸線３がガイド溝２１の内側面２１ｃと接触するのを回避することができる。よって、方向変換器２０Ａ，２０Ｂによって光ファイバ裸線３が傷つくことなく、良好な歩留まりで光ファイバ素線５を製造することができる。また、製造装置１の稼働率が高くなるため生産性の向上が可能となり、製造コストの削減を図ることができる。
【００６２】
また、本実施形態の光ファイバ素線の製造方法によれば、吹出し口２２からの流体の導入流量を小ベルト要素に働く力の釣り合い式とベルヌーイの式とに基づいて算出された式や上記式（Ａ）用いて制御するために、方向変換器における光ファイバ裸線の浮上位置をより高精度で安定化でき、光ファイバのパスラインの変動をさらに低減できる。
【００６３】
また、本実施形態の光ファイバ素線の製造方法によれば、光ファイバ裸線の張力を非接触で検出することによって、光ファイバ裸線が損傷することを防げ、また製造過程に振動などを与えるおそれもない。また、接触型と比べて、光ファイバ裸線３への異物の付着を防止することができる。そのため生産性や歩留まりを向上することができる。
【００６４】
以上、本発明の光ファイバ素線の製造方法及び製造装置について説明してきたが、本発明は前記の例に限定されるものではなく、発明の趣旨を逸脱しない範囲で適宜変更可能である。
【符号の説明】
【００６５】
１…光ファイバ素線の製造装置、２…光ファイバ母材、３…光ファイバ裸線、５…光ファイバ素線、１０…紡糸部、２０，２０Ａ，２０Ｂ，２０１，２０２…方向変換器、２１…ガイド溝、２２…吹出し口、３０…コーティング部、４０…硬化部、５０…ファイバ位置検出部、６０…ファイバ張力計、７０…外径測定器、８０、８０Ａ、８０Ｂ…流量調整器、９０…制御部。
【図１】
0006335957.tif 000009
【図２】
0006335957.tif 000010
【図３】
0006335957.tif 000011
【図４】
0006335957.tif 000012
【図５】
0006335957.tif 000013
【図６】
0006335957.tif 000014
【図７】
0006335957.tif 000015